(57)【要約】【課題】リサイクル対策を講じつつ、組み込まれる機能部材により差別化を図ることが可能な遊技機において、遊技機内部へ通じる隙間を生じさせず、且つ、部材の歪みによる見栄えの悪さを生じさせない遊技機を提供することを目的とする。【解決手段】スロットマシン１０におけるメインドアフレーム１６の表面に配置される複数の機能部材ユニットをその両側部から一対のサイドレンズユニット７０（７０Ｒ、７０Ｌ）により組み付け固定する際に、当該機能部材ユニットの表面両側部に設けた凹凸と、当該サイドレンズユニット７０（７０Ｒ、７０Ｌ）に設けられた凹凸とを嵌合させることによって組み付け固定を行う。【選択図】　　図４
2004024445.tif 000002
【特許請求の範囲】
【請求項１】
筐体と、
当該筐体の前面開口に開閉自在に設けられる扉体とを備え、
前記扉体は、扉体基体と、当該扉体基体の表面に配置される複数の機能部材と、該複数の機能部材を前記扉体基体に保持するための前記扉体基体の両側部に設けられる一対の側面保持部材とを有し、この一対の側面保持部材を適宜に取着又は取り外すことによって、前記複数の機能部材を扉体基体に対して取替え可能に構成してなる遊技機であって、
前記扉体基体には、前記機能部材の少なくとも一つがその表面側を外部に露出した状態で、当該表面側と対向する裏面側を前記扉体基体を貫通して前記筐体の内部に位置させるための貫通穴を前記扉体基体に形成するとともに、
少なくとも前記貫通穴に配置される機能部材の両側部には、当該両側部に沿って断続的又は連続的に形成した凹溝又は凸状を設ける一方、当該凹溝又は凸状と前記側面保持部材に形成した凸状又は凹溝を前記遊技機の前後方向で嵌合して組み付け固定してなる遊技機。
【請求項２】
前記機能部材には、表示機能を有する第１の機能部材と、該上部機能部材の下側に配置され前記筐体内の回転リールの図柄を遊技者に対して表示するリール表示窓としての第２の機能部材とを有することを特徴とする請求項１記載の遊技機。
【請求項３】
前記扉体基体表面には少なくとも２以上の前記機能部材が配置されており、そのいずれもが表面側を外部に露出した状態で上下に連続した状態で、前記一対の側面保持部材によって固定されていることを特徴とする請求項１または２記載の遊技機。
【発明の詳細な説明】
【０００１】
【発明の属する技術分野】
本発明は、遊技機に関するものである。
【０００２】
【従来の技術】
遊技者がコインを投入し、複数の識別情報画像の描かれた複数の回転リールを回転させ、その後各リールを停止させたときに、当該識別情報画像が所定の配置で停止した場合には遊技者に対して所定の利益還元がなされるという、遊技機が流行している。
【０００３】
このような遊技者の要望にこたえるため、各遊技機メーカは、より遊技者に人気のある遊技機を世に送り出すべく常に新たな種類の遊技機の開発に努めている。
【０００４】
これらの遊技機は、上述の如き基本的な遊技方法においては差がなく、各遊技機メーカは、遊技機を構成する筐体に描かれる図柄や、回転リールに描かれた識別情報画像のデザイン、当該回転リールの近傍に設けられた画像表示装置に表示される画像等の各種演出に趣向を凝らし、他の遊技機との差別化を図ると共に、魅力ある遊技機として遊技者の興趣を惹かんと常に努力がなされている。
【０００５】
その一方で、近年の遊技機の廃棄によるゴミの問題から各メーカともリサイクル対策を講じるべく思考錯誤が行われており、遊技機でも特にスロットマシンにおいては、近年、液晶や電飾などの様々な機能部材を使用することによって、メーカごとのスロットマシンの差別化を行うために、筐体自体のタイプが同じであっても、照明の色や、スピーカ或いは液晶画面のあるなし等、多種少量生産を可能とするような生産体制の確立も望まれている。
【０００６】
しかしながら、従来の遊技機の構造においては、遊技機前面に設けられた扉体の構造によって、上述の照明の色や、スピーカ或いは液晶画面のあるなしなどは定まってしまい、当該扉体を再利用することは新たな遊技機において再利用前の遊技機との差別化が充分に図れないこととなり、また、当該扉体の部分的な再利用を図る上でも、部品点数が多く、細かな部分に及ぶネジ止めなどの組み付けにより、解体にも手間がかかっていた。
【０００７】
これに対して、扉体基体の表面に配置される複数の機能部材をその両側部から一対の側面保持部材により組み付け固定するように構成することで、扉体基体や側面保持部材を再利用しつつ、一部の機能部材を変更することで差別化を図るといった遊技機が提案されている。
【０００８】
【発明が解決しようとする課題】
しかしながら、上述のような遊技機にあっては、取り替えるべき機能部材や、扉体基体の複数回のリサイクルによる経時劣化や製造時の誤差によって隙間が発生した場合に見栄えが悪くなる可能性がある。
【０００９】
また、当該機能部材は、液晶部品や照明部品などの電気的制御によって機能するものであるために厚みが厚くなることが多く、扉体基体の表面側のみに設けると、遊技機から機能部材が突出して見栄えが悪くなるので、当該扉体基体の表面への突出を面一にするには、当該扉体の当該機能部材の取り付け位置に貫通穴を設ける必要がある。
【００１０】
当該貫通穴を設けることは、当該機能部材を電気制御するための電気配線を当該筐体内部から当該扉体基体の表面まで導くことが極めて容易になるといった相乗効果も期待できるものであり、当該貫通穴の存在は極めて有用である。
【００１１】
しかし、当該隙間から当該貫通穴を通じて何らかの針金等の部材を筐体内部の抽選手段やその他の抽選に係わる部位に導入して、不正を働くといった可能性も生じることとなる。
【００１２】
本発明は以上のような課題に鑑みてなされたものであり、リサイクル対策を講じつつ、組み込まれる機能部材により差別化を図ることが可能な遊技機において、遊技機内部へ通じる隙間を生じさせず、且つ、部材の歪みによる見栄えの悪さを生じさせない遊技機を提供することを目的とする。
【００１３】
【課題を解決するための手段】
以上のような目的を達成するために、本発明における遊技機は、扉体基体の表面に配置される複数の機能部材をその両側部から一対の側面保持部材により組み付け固定する際に、当該機能部材の表面両側部に設けた凹凸と、当該側面保持部材に設けられた凹凸とを嵌合させることによって組み付け固定を行う遊技機を提供する。
【００１４】
より具体的には、本発明は以下のものを提供する。
【００１５】
（１）　筐体と、当該筐体の前面開口に開閉自在に設けられる扉体とを備え、前記扉体は、扉体基体と、当該扉体基体の表面に配置される複数の機能部材と、該複数の機能部材を前記扉体基体に保持するための前記扉体基体の両側部に設けられる一対の側面保持部材とを有し、この一対の側面保持部材を適宜に取着又は取り外すことによって、前記複数の機能部材を扉体基体に対して取替え可能に構成してなる遊技機であって、前記扉体基体には、前記機能部材の少なくとも一つがその表面側を外部に露出した状態で、当該表面側と対向する裏面側を前記扉体基体を貫通して前記筐体の内部に位置させるための貫通穴を前記扉体基体に形成するとともに、少なくとも前記貫通穴に配置される機能部材の両側部には、当該両側部に沿って断続的又は連続的に形成した凹溝又は凸状を設ける一方、当該凹溝又は凸状と前記側面保持部材に形成した凸状又は凹溝を前記遊技機の前後方向で嵌合して組み付け固定してなる遊技機。
【００１６】
上述した（１）の発明によれば、扉体基体の表面に配置される複数の機能部材をその両側部から一対の側面保持部材により組み付け固定することによって構成されるリサイクル可能な遊技機において、「前記扉体基体には、前記機能部材の少なくとも一つがその表面側を外部に露出した状態で、当該表面側と対向する裏面側を前記扉体基体を貫通して前記筐体の内部に位置させるための貫通穴を前記扉体基体に形成するとともに、少なくとも前記貫通穴に配置される機能部材の両側部には、当該両側部に沿って断続的又は連続的に形成した凹溝又は凸状を設ける一方、当該凹溝又は凸状と前記側面保持部材に形成した凸状又は凹溝を前記遊技機の前後方向で嵌合して組み付け固定してなる」ように構成することにより、当該機能部材と当該扉体基体との間に生じた隙間から何らかの針金等の部材を筐体内部の抽選手段やその他の抽選に係わる部位に導入して、不正を働くなどの余地を可及的に防止すること、及び、取り替えるべき機能部材や扉体基体の複数回のリサイクルによる経時劣化や製造時の誤差によって、隙間が発生した場合の見栄えの悪さを解消することが可能となる。
【００１７】
近年、遊技機の廃棄によるゴミの問題から各メーカともリサイクル対策を講じるべく思考錯誤が行われている。一方、遊技機でも特にスロットマシンにおいては、近年、液晶や電飾などの様々な機能部材を使用することによって、メーカごとのスロットマシンの差別化を行うために、筐体自体のタイプが同じであっても、照明の色や、スピーカ或いは液晶画面のあるなしなど、多種少量生産を可能とするような生産体制の確立も望まれている。
【００１８】
そのため、扉体基体の表面に配置される複数の機能部材をその両側部から一対の側面保持部材により組み付け固定するように構成することで、扉体基体や側面保持部材を再利用しつつ、一部の機能部材を変更することで差別化を図るといった遊技機が提案されている。
【００１９】
しかし、上述のような遊技機にあっては、取り替えるべき機能部材や、扉体基体の複数回のリサイクルによる経時劣化や製造時の誤差によって隙間が発生した場合に見栄えが悪くなる可能性がある。また、当該機能部材は、液晶部品や照明部品などの電気的制御によって機能するものであるために厚みが厚くなることが多く、扉体基体の表面側のみに設けると、遊技機から機能部材が突出して見栄えが悪くなるので、当該扉体基体の表面への突出を面一にするには、当該扉体の当該機能部材の取り付け位置に貫通穴を設ける必要があるが、このとき、当該隙間から当該貫通穴を通じて何らかの針金等の部材を筐体内部の抽選手段やその他の抽選に係わる部位に導入して、不正を働くといった可能性も生じることとなる。
【００２０】
そこで本発明のように、当該機能部材と当該側面保持部材とのそれぞれの接合部に凹凸を設け、互いに嵌合するような構造を付与することにより、当該機能部材と当該扉体基体との間に生じた隙間から何らかの針金等の部材を筐体内部の抽選手段やその他の抽選に係わる部位に導入するためには、凹凸が嵌合させた部位において当該部材を複数回曲げる必要があるために困難になり、異物の導入により不正を働くなどの余地を可及的に防止することができるようになる。また、取り替えるべき機能部材や扉体基体の複数回のリサイクルによる経時劣化や製造時の誤差によって、隙間が発生した場合の見栄えの悪さを解消することが可能となるのである。
【００２１】
（２）　前記機能部材には、表示機能を有する第１の機能部材と、前記第１の機能部材の下側に配置され前記筐体内の回転リールの図柄を遊技者に対して表示するリール表示窓としての第２の機能部材とを有することを特徴とする（１）の遊技機。
【００２２】
上述した（２）の発明によれば、前記第１の機能部材の場合には、液晶表示電子部品や第４リールの駆動手段を機能部材に設ける必要から厚みが厚くなること、前記第２の機能部材では、前記筐体内部のリールを前記扉体基体の表面側から遊技者が視認できるようにするために、前記貫通穴の大きさは、略機能部材と同じような大きさになるので、隙間による上述した問題はより顕著になるが、凹凸が嵌合させた部位に異物を挿入することは複数回曲げる必要があるために困難になり、異物の導入を防止することができるようになる。
【００２３】
（３）　前記扉体基体表面には少なくとも２以上の前記機能部材が配置されており、そのいずれもが表面側を外部に露出した状態で上下に連続した状態で、前記一対の側面保持部材によって固定されていることを特徴とする（１）または（２）の遊技機。
【００２４】
上述した（３）の発明によれば、（１）または（２）の遊技機に対して、「前記扉体基体表面には少なくとも２以上の前記機能部材が配置されており、そのいずれもが表面側を外部に露出した状態で上下に連続した状態で、前記一対の側面保持部材によって固定されている」ように構成されているので、それぞれの機能部材と側面保持部材との間に組付部が生じるが、当該機能部材のそれぞれの歪みの生じ方によっては当該組付部に隙間が生じやすくなるが、当該組み付け部には機能部材、側面保持部材ともに（１）のような凹凸を有しているので、凹凸が嵌合させた部位に異物を挿入することは複数回曲げる必要があるために困難になり、異物の導入を防止することができるようになる。
【００２５】
また、当該組付部での嵌合により歪を強制的に修正することも可能となり、見栄えの悪さを解消することもできるのである。
【００２６】
【発明の実施の形態】
［遊技機の構成］
以下に、本発明の好適な実施形態について図面に基づいて説明する。
【００２７】
尚、以下において説明する実施形態においては、本発明に係る遊技機に好適な実施形態として、本発明をスロットマシンに適用した場合について説明する。尚、後述する実施形態では、スロットマシン１０を例にとって説明するが、本発明はこれに限らず、パチンコ遊技機や雀球遊技機等の弾球遊技機、メダル遊技機その他の遊技機にも適用することが可能である。
【００２８】
本発明の一実施形態であるスロットマシン１０の概観を示す斜視図を図１に示す。また、図２は、スロットマシン１０の前面扉体１４の構成を示す分解斜視図である。更にまた、図３は、各機能部材ユニット（２０〜６０）がメインドアフレーム１６に取り付けられた状態の概観を示す斜視図である。図４は、図１に示したスロットマシン１０を水平方向に断面し、上方から見た断面図を概略にて示したものである。
【００２９】
スロットマシン１０は、図１に示す如く、本体筐体１２と、前面扉体１４と、を備えている。
【００３０】
この「本体筐体１２」は、請求項中の「筺体」に相当する。また、「前面扉体１４」は、請求項中の「扉体」に相当する。
【００３１】
この本体筐体１２は、遊技場の所定の場所に固設され、本体筐体１２の内部には、遊技者を臨む位置に回動可能に配置された複数のリール（例えば、３個）を備えたリール装置や、スロットマシン１０を電気的に制御するための制御装置や、払い出し用のメダルを貯留するメダル貯留部や、メダルの投入、払出しを制御するためのメダル制御装置等（いずれも図示せず）が設けられている。
【００３２】
また、前面扉体１４は、本体筐体１２の前面凹部（図示せず）を開閉可能なように、その右側辺部を開放端側とするとともに、その左側辺部を回動軸端側として、本体筐体１２に支持されている。詳しくは図２を用いて説明するが、この前面扉体１４は、メインドアフレーム１６と、このメインドアフレーム１６に取り付けられた各種の機能部材ユニットとを備えてなる。
【００３３】
［前面筐体の構成］
図２は、前面扉体１４の構成を示す分解斜視図である。図２に示すように前面扉体１４は、本体筐体１２（図１参照）の前面凹部を覆う大きさを有するメインドアフレーム１６と、上述の機能部材ユニットとして、上部ユニット２０、リールパネルユニット３０（図１参照）、操作部ユニット４０、腰部ユニット５０（図１参照）、下部ユニット６０、左右２つのサイドレンズユニット７０（７０Ｌ及び７０Ｒ）、の、大きく分けて７個の機能部材ユニットを備えている。
【００３４】
上述した「機能部材ユニット」は、請求項中の「機能部材」に相当する。
【００３５】
このメインドアフレーム１６は、図２に示す如く、矩形状の枠部１７と、この枠部１７の左側辺部１７Ｌと右側辺部１７Ｒとを、それぞれ連結する３個の連結部１８Ａ〜１８Ｃとを備え、上部ユニット取り付け領域１９Ａ、リールパネルユニット取付領域１９Ｂ、操作部ユニット取付領域１９Ｃ、腰部ユニット取付領域１９Ｄ、下部ユニット取付領域１９Ｅの計５個のユニット取付領域に、上下方向に区分されている。また、上部ユニット取付領域１９Ａ、リールパネルユニット取付領域１９Ｂ、操作部ユニット取付領域１９Ｃは、前後方向が共に開放されている。
【００３６】
この「上部ユニット取付領域１９Ａ」、「リールパネルユニット取付領域１９Ｂ」、「操作部ユニット取付領域１９Ｃ」は共に、請求項中の「貫通穴」に相当する。
【００３７】
上部ユニット２０は、上部ユニット基部２１、左右一対のスピーカ（図示せず）、スピーカカバー２２（２２Ｌ及び２２Ｒ）、画像表示装置（図示せず）、表示窓２３、装飾用ＬＥＤ、レンズカバー、ＬＥＤ用基板、液晶パネル、コネクタ（いずれも図示せず）等の各種複数個の機能部材をユニット化して構成されるものである。
【００３８】
この「上部ユニット２０」は、請求項中の「機能部材」の一部に相当し、「第１の機能部材」に相当する。
【００３９】
また、図２に示す如く、上部ユニット基部２１の左右両端部には、上下方向に沿って、凹状の溝２８Ｒ及び２８Ｌが凹設されている。
【００４０】
この「凹状の溝２８Ｒ及び２８Ｌ」は、請求項中の「凹溝」の一部に相当する。
【００４１】
更にまた、上部ユニット基部２１の背部には、画像表示装置等の各種複数個の機能部材が取り付けられることとなる。上部ユニット基部２１の背部にこれら各種複数個の機能部材は、上述した如く、前後方向が開放されているように形成された上部ユニット取付領域１９Ａを通して、本体筐体１２内に埋設されるものである。
【００４２】
リールパネルユニット３０は、リールパネル３１（図１参照）を備え、このリールパネル３１の背部の本体筐体１２内部には、遊技者を臨む位置に回動可能に配置された複数のリールを備えたリール装置が設けられ、遊技者は、リールパネル３１を介して、回動する複数のリールを視認しながら遊技を行う。
【００４３】
この「リールパネルユニット３０」は、請求項中の「機能部材」の一部に相当し、「第２の機能部材」に相当する。
【００４４】
また、このリールパネル３１の左右両端部には、上下方向に沿って、凹状の溝３８Ｒ（図３参照）、３８Ｌ（図示せず）が凹設されている。
【００４５】
この「凹状の溝３８Ｒ及び３８Ｌ」は、請求項中の「凹溝」の一部に相当する。
【００４６】
操作部ユニット４０は、操作部ユニット基部４１、遊技情報を表示するための画像表示装置（図示せず）、表示窓４２、メダル投入口、遊技メダルの投入を条件として上記リール装置の各リールの回転を開始させるためのスタートレバー（図示せず）、各リールに個別に対応して各リールの回転を停止させるための３個のストップスイッチ、その他の操作スイッチ、コネクタ（いずれも図示せず）等の各種複数個の機能部材をユニット化して構成されるものである。
【００４７】
この「操作部ユニット４０」は、請求項中の「機能部材」の一部に相当し、「第１の機能部材」に相当する。
【００４８】
また、図２に示す如く、操作部ユニット基部４１の左右両端部には、上下方向に沿って、凹状の溝４８（４８Ｒ、４８Ｌ）が凹設されている。
【００４９】
この「凹状の溝４８Ｒ及び４８Ｌ」は、請求項中の「凹溝」の一部に相当する。
【００５０】
更にまた、操作部ユニット基部４１の背部には、画像表示装置、センサ等の各種複数個の機能部材が取り付けられることとなる。操作部ユニット基部４１の背部にこれら各種複数個の機能部材は、上述した如く、前後方向が開放されているように形成された操作部ユニット取付領域１９Ｃを通して、本体筐体１２内に埋設されることとなる。
【００５１】
腰部ユニット５０は、化粧用の腰部パネル５１（図１参照）、腰部パネルフレーム５２をユニット化して構成されるものである。
【００５２】
この「腰部ユニット５０」は、請求項中の「機能部材」の一部に相当し、「第１の機能部材」に相当する。
【００５３】
また、図２に示す如く、腰部パネルフレーム５２の左右両端部には、上下方向に沿って、凹状の溝５８Ｒ及び５８Ｌが凹設されている。
【００５４】
この「凹状の溝５８Ｒ及び５８Ｌ」は、請求項中の「凹溝」の一部に相当する。
【００５５】
更にまた、化粧用の腰部パネル５１は、腰部ユニット取付領域１９Ｄの前方開放部を覆うように嵌め込まれ、腰部パネルフレーム５２により固着される。
【００５６】
更にまた、上述した如く、上部ユニット取付領域１９Ａ、リールパネルユニット取付領域１９Ｂ、操作部ユニット取付領域１９Ｃは、前後方向が共に開放されているように形成されるものであるのに対して、腰部ユニット取付領域１９Ｄは、前方が開放されている筐体状となって形成されおり、この筐体内は、筐体の前方開口部を覆うように取り付けられる化粧用の腰部パネルを照射するための蛍光灯等の光源を収納する光源収納部として構成されている。
【００５７】
下部ユニット６０は、メダルトレイ６１を備え、メインドアフレーム１６の下部ユニット取付領域１９Ｅに取り付けられる。また、下部ユニット取付領域１９Ｅの壁部の略中央にはメダル排出口１８が形成されており、このメダル排出口１５の後部には、キャンセルシュート（図示せず）が取り付けられている。
【００５８】
この「下部ユニット６０」は、請求項中の「機能部材」の一部に相当し、「第１の機能部材」に相当する。
【００５９】
サイドレンズユニット７０（７０Ｒ及び７０Ｌ）は、サイドレンズカバー７１（７１Ｒ及び７１Ｌ）、ＬＥＤユニット、ＬＥＤ用基板、コネクタ（いずれも図示せず）等の各種複数個の機能部材をそれぞれユニット化して構成されるものである。
【００６０】
また、サイドレンズユニット７０（７０Ｒ及び７０Ｌ）を構成するサイドレンズカバー７１（７１Ｒ及び７１Ｌ）は、図４に示す如く、メインドアフレーム１６方向である背面部が開放されている略コの字形状で形成されている。左サイドレンズカバー７１Ｌの右側辺部７２Ｒは、左側辺部７２Ｌよりも、本体筐体１２方向に延出するその側辺の長さが、短い長さで形成されている。また、右サイドレンズカバー７１Ｒの左側辺部７３Ｌは、右側辺部７３Ｒよりも、本体筐体１２方向に延出するその側辺の長さが、短い長さで形成されている。
【００６１】
この「サイドレンズユニット７０」は、請求項中の「側面保持部材」の一部に相当する。
【００６２】
この「左サイドレンズカバー７１Ｌの右側辺部７２Ｒ」は、請求項中の「凸状」に相当する。また、「右サイドレンズカバー７１Ｒの左側辺部７３Ｌ」は、請求項中の「凸状」に相当する。
【００６３】
［各種機能部材ユニットの組付］
上述した如く、上部ユニット２０、リールパネルユニット３０、操作部ユニット４０、腰部ユニット５０、下部ユニット６０は、メインドアフレーム１６の上下方向に区分されている、上部ユニット取付領域１９Ａ、リールパネルユニット取付領域１９Ｂ、操作部ユニット取付領域１９Ｃ、腰部ユニット取付領域１９Ｄ、下部ユニット取付領域１９Ｅの計５個のユニット取付領域に、各々、連続的に取り付けられる。
【００６４】
上述した上部ユニット２０は、メインドアフレーム１６の上部ユニット取付領域１９Ａに、ビス止め、弾性フック等の所要の手段により着脱自在に取り付けられる。
【００６５】
また、上述した如く、上部ユニット２０を構成する上部ユニット基部２１は、遊技者側である前面の左右両端部に、上下方向に沿って凹設された凹状の溝２８Ｒ及び２８Ｌ（図２参照）を有する。
【００６６】
上述したリールパネルユニット３０は、メインドアフレーム１６のリールパネルユニット取付領域１９Ｂに、ビス止め、弾性フック等の所要の手段により着脱自在に取り付けられる。
【００６７】
また、上述した如く、リールパネルユニット３０を構成するリールパネル３１（図１参照）は、遊技者側である前面の左右両端部に、上下方向に沿って凹設された凹状の溝３８Ｒ（図３参照）及び３８Ｌ（図示せず）を有する。
【００６８】
上述した操作部ユニット４０は、メインドアフレーム１６の操作部ユニット取付領域１９Ｃに、ビス止め、弾性フック等の所要の手段により着脱自在に取り付けられる。
【００６９】
また、上述した如く、操作部ユニット４０を構成する操作部ユニット基部４１は、遊技者側である前面の左右両端部に、上下方向に沿って凹設された凹状の溝４８Ｒ及び４８Ｌ（図２参照）を有する。
【００７０】
上述した腰部ユニット５０は、メインドアフレーム１６の腰部ユニット取付領域１９Ｄに、ビス止め、弾性フック等の所要の手段により着脱自在に取り付けられる。
【００７１】
また、上述した如く、腰部ユニット５０を構成する腰部パネルフレーム５２は、遊技者側である前面の左右両端部に、上下方向に沿って凹設された凹状の溝５８Ｒ及び５８Ｌ（図２参照）を有する。
【００７２】
上述した４個の各種機能部材ユニットがメインドアフレーム１６の各取付領域に取り付けられた状態を図３に示す。
【００７３】
上述した如く、上部ユニット２０、リールパネルユニット３０、操作部ユニット４０、腰部ユニット５０の各々は、遊技者側である前面の左右両端部に、上下方向に沿って凹状の溝２８Ｒ及び２８Ｌ、３８Ｒ及び３８Ｌ、４８Ｒ及び４８Ｌ、５８Ｒ及び５８Ｌをそれぞれ有する。
【００７４】
各種機能部材ユニットがメインドアフレーム１６に取り付けられると、上述した如く、各種機能部材ユニットに凹設された凹状の溝は、メインドアフレーム１６の枠部１７の右側辺部１７Ｒ側には、上下方向に、２８Ｒ、３８Ｒ、４８Ｒ、５８Ｒと直列状に並ぶこととなる。これにより、メインドアフレーム１６の枠部１７の右側辺部１７Ｒに平行して連続的又は断続的な１本の溝を形成することになる（図３参照）。また、同様に、メインドアフレーム１６の枠部１７の左側辺部１７Ｌ側には、上下方向に、２８Ｌ、３８Ｌ、４８Ｌ、５８Ｌと直列状に並ぶこととなる。これにより、メインドアフレーム１６の枠部１７の左側辺部１７Ｌに平行して連続的又は断続的な１本の溝を形成することになる。
【００７５】
上述したサイドレンズユニット７０の右サイドレンズユニット７０Ｒは、図４に示す如く、メインドアフレーム１６の枠部１７の右側辺部１７Ｒに前方から嵌め込まれると、上述の如く、凹状の溝が凹設された各機能部材ユニットがメインドアフレーム１６に取り付けられることによりメインドアフレーム１６の枠部１７の右側辺部１７Ｒの上下方向に沿って形成された連続的又は断続的な１本の溝（図３参照）（凹部）と、背面部が開放されている略コの字形状を有するサイドレンズカバー７１Ｒの左側辺部７３Ｌ（凸部）とが嵌合されることとなる。
【００７６】
また、左サイドレンズユニット７０Ｌの取り付けも、同様に行われるものである。
【００７７】
サイドレンズユニット７０は、メインドアフレーム１６の枠部１７（１７Ｒ及び１７Ｌ）にビス止め、弾性フック等の所要の手段により着脱自在に取り付けられる。
【００７８】
上述した如く、扉体基体の表面に配置される複数の機能部材をその両側部から一対の側面保持部材により組み付け固定することによって構成されるリサイクル可能な遊技機に、「前記扉体基体には、前記機能部材の少なくとも一つがその表面側を外部に露出した状態で、当該表面側と対向する裏面側を前記扉体基体を貫通して前記筐体の内部に位置させるための貫通穴を前記扉体基体に形成するとともに、少なくとも前記貫通穴に配置される機能部材の両側部には、当該両側部に沿って断続的又は連続的に形成した凹溝又は凸状を設ける一方、当該凹溝又は凸状と前記側面保持部材に形成した凸状又は凹溝を前記遊技機の前後方向で嵌合して組み付け固定してなる」ように構成することにより、当該機能部材と当該扉体基体との間に生じた隙間から何らかの針金等の部材を筐体内部の抽選手段やその他の抽選に係わる部位に導入して、不正を働くなどの余地を可及的に防止すること、及び、取り替えるべき機能部材や扉体基体の複数回のリサイクルによる経時劣化や製造時の誤差によって、隙間が発生した場合の見栄えの悪さを解消することが可能となる。
【００７９】
また、上述した如く、液晶表示電子部品や第４リールの駆動手段を機能部材に設ける必要から厚みが厚くなること、前記第２の機能部材では、前記筐体内部のリールを前記扉体基体の表面側から遊技者が視認できるようにするために、「貫通穴」の大きさは、機能部材とほぼ同じような大きさになるので、隙間による上述した問題はより顕著になるが、凹凸が嵌合させた部位に異物を挿入することは複数回曲げる必要があるために困難になり、異物の導入を防止することができるようになる。
【００８０】
更にまた、「前記扉体基体表面には少なくとも２以上の前記機能部材が配置されており、そのいずれもが表面側を外部に露出した状態で上下に連続した状態で、前記一対の側面保持部材によって固定されている」ように構成されているので、それぞれの機能部材と側面保持部材との間に組付部が生じるが、当該機能部材のそれぞれの歪みの生じ方によっては当該組付部に隙間が生じやすくなるが、当該組み付け部には機能部材、側面保持部材ともに凹凸を有しているので、凹凸が嵌合させた部位に異物を挿入することは複数回曲げる必要があるために困難になり、異物の導入を防止することができるようになる。
【００８１】
尚、本実施形態では、上述した各機能部材ユニットの左右両端部各々の上下方向に凹状の溝を凹設することとしたが、本発明はこれに限らず、図４（Ｂ）に示す如く、上述した各機能部材ユニットの左右両角部を上下方向に欠切させ、略コの字形状を有するサイドレンズカバー７１と嵌合させるように構成してもよい。
【００８２】
また、本実施形態では、上述した各機能部材ユニットの左右両端部各々の上下方向に凹状の溝を凹設することとしたが、本発明はこれに限らず、図４（Ｃ）に示す如く、上述した各機能部材ユニットの左右両端部各々の上下方向に凸状の縁を設けてもよく、サイドレンズカバー７１の機能部材ユニットと接触する部分に凹状の溝を凹設させて、上述した凸状の縁と嵌合させるように構成してもよい。
【００８３】
更にまた、本実施形態では、上述した各機能部材ユニットの左右両端部各々の上下方向に凹状の溝を１本のみ凹設することとしたが、本発明はこれに限らず、上述した各機能部材ユニットの左右両端部各々の上下方向に凹状の溝を複数本凹設させてもよく、サイドレンズカバー７１の機能部材ユニットと接触する部分に複数の凸状の突出部を設けて、上述した凸状の縁と嵌合させるように構成してもよい。
【００８４】
【発明の効果】
本発明によれば、扉体基体の表面に配置される複数の機能部材をその両側部から一対の側面保持部材により組み付け固定することによって構成されるリサイクル可能な遊技機において、「前記扉体基体には、前記機能部材の少なくとも一つがその表面側を外部に露出した状態で、当該表面側と対向する裏面側を前記扉体基体を貫通して前記筐体の内部に位置させるための貫通穴を前記扉体基体に形成するとともに、少なくとも前記貫通穴に配置される機能部材の両側部には、当該両側部に沿って断続的又は連続的に形成した凹溝又は凸状を設ける一方、当該凹溝又は凸状と前記側面保持部材に形成した凸状又は凹溝を前記遊技機の前後方向で嵌合して組み付け固定してなる」ように構成することにより、当該機能部材と当該扉体基体との間に生じた隙間から何らかの針金等の部材を筐体内部の抽選手段やその他の抽選に係わる部位に導入して、不正を働くなどの余地を可及的に防止すること、及び、取り替えるべき機能部材や扉体基体の複数回のリサイクルによる経時劣化や製造時の誤差によって、隙間が発生した場合の見栄えの悪さを解消することが可能となるのである。
【図面の簡単な説明】
【図１】本発明による遊技機の概観を示す斜視図である。
【図２】本発明による遊技機の要部を示す斜視図である。
【図３】本発明による遊技機の要部を示す斜視図である。
【図４】本発明による遊技機の要部を示す上方断面図である。
【符号の説明】
１０　スロットマシン
１２　本体筐体
１４　前面扉体
１６　メインドアフレーム
１９Ｂ　リールパネルユニット取付領域
１９Ａ　上部ユニット取付領域
１９Ｅ　下部ユニット取付領域
１９Ｃ　操作部ユニット取付領域
１９Ｄ　腰部ユニット取付領域
２０　上部ユニット
３０　リールパネルユニット
４０　操作部ユニット
５０　腰部ユニット
６０　下部ユニット
７０　サイドレンズユニット
７１　サイドレンズカバー
【図１】
2004024445.tif 000003
【図２】
2004024445.tif 000004
【図３】
2004024445.tif 000005
【図４】
2004024445.tif 000006